(57)【要約】【課題】陳列室内の温度が高温となり、照明灯の点灯により照明灯周辺の部材が熱により損傷する不都合を未然に回避することができるショーケースを提供する。【解決手段】陳列室６にて商品を冷却しながら陳列する低温ショーケースＲにおいて、陳列室６内を照明する照明灯１４、１４と、陳列室６内の温度を検出する温度検出器２６と、該温度検出器２６の出力に基づき、照明灯１４の点灯を制御する制御装置Ｃとを備え、該制御装置Ｃは、陳列室６内の温度が所定の高温値以上である場合、照明灯１４、１４を消灯する。【選択図】図３
2009243743.tif 000002
【特許請求の範囲】
【請求項１】
陳列室にて商品を冷却しながら陳列する低温ショーケースにおいて、
前記陳列室内を照明する照明灯と、前記陳列室内の温度を検出する温度検出器と、該温度検出器の出力に基づき、前記照明灯の点灯を制御する制御装置とを備え、
該制御装置は、前記陳列室内の温度が所定の高温値以上である場合、前記照明灯を消灯することを特徴とする低温ショーケース。
【請求項２】
前記制御装置は、前記陳列室内の設定値にて冷却を停止し、該設定値より所定のディファレンシャル分高い上限値にて冷却を再開するサイクル運転を実行すると共に、
前記高温値は、前記上限値より高い値であり、且つ、前記設定値より所定温度高い温度であることを特徴とする請求項１に記載の低温ショーケース。
【請求項３】
前記高温値は、前記設定値より前記ディファレンシャルの２倍以上高い温度であることを特徴とする請求項２に記載の低温ショーケース。
【発明の詳細な説明】
【技術分野】
【０００１】
本発明は、陳列室にて商品を冷却しながら陳列する低温ショーケースであって、特に、陳列室内を照明する照明灯を備えた低温ショーケースに関するものである。
【背景技術】
【０００２】
従来より、スーパーマーケットやコンビニエンスストアなどの店舗に設置されるショーケースには、内部に商品を陳列するための陳列室が形成されており、当該陳列室内を圧縮機や凝縮器、蒸発器などから構成される冷却装置によって、所定の温度に冷却している。
【０００３】
係るショーケースには、陳列室内に位置して当該陳列室内に陳列される商品を照明するための蛍光灯などの照明灯が設けられている（例えば特許文献１参照）。
【特許文献１】特開２０００−９３７４号公報
【発明の開示】
【発明が解決しようとする課題】
【０００４】
上記蛍光灯などの照明灯は、通電により発熱し、周辺温度の上昇を招来する。陳列室内の冷却運転が実行されることで、当該照明灯周辺温度も循環される冷気によって冷却されている。しかしながら、特許文献１に示すように除霜運転が実行されている場合や、一度に多くの常温や高温の商品の補充が行われると陳列室内温度が上記冷却温度範囲を超えて上昇する。
【０００５】
一方、照明灯には、当該照明灯を囲繞する透光性のシェードが取り付けられている。通常、当該シェードは、耐熱性の硬質合成樹脂によって形成されている。しかしながら、デザイン上、当該シェードを複雑な形状とする場合には、耐熱性の硬質合成樹脂により形成することが困難となる。
【０００６】
そのため、耐熱性の低い材料にてシェードを構成すると、何らかの原因によって陳列室内の温度が上昇すると、当該照明灯周辺の温度が著しく上昇し、係るシェードの変形を招く問題があった。
【０００７】
上記特許文献１に示す構成では、除霜運転時や急速冷却するプルダウン運転時において、照明灯に流れる電流値を減少させていたが、これでは、他の要因によって陳列室内の温度が上昇した場合に対応することができず、上述したような場合におけるショーケースの変形を回避することができないという問題があった。
【０００８】
本発明は従来の技術的課題を解決するために成されたものであり、陳列室内の温度が高温となり、照明灯の点灯により照明灯周辺の部材が熱により損傷する不都合を未然に回避することができるショーケースを提供する。
【課題を解決するための手段】
【０００９】
本発明の低温ショーケースは、陳列室にて商品を冷却しながら陳列するものであって、陳列室内を照明する照明灯と、陳列室内の温度を検出する温度検出器と、該温度検出器の出力に基づき、照明灯の点灯を制御する制御装置とを備え、該制御装置は、陳列室内の温度が所定の高温値以上である場合、照明灯を消灯することを特徴とする。
【００１０】
請求項２の発明の低温ショーケースは、上記発明において、制御装置は、陳列室内の設定値にて冷却を停止し、該設定値より所定のディファレンシャル分高い上限値にて冷却を再開するサイクル運転を実行すると共に、高温値は、上限値より高い値であり、且つ、設定値より所定温度高い温度であることを特徴とする。
【００１１】
請求項３の発明の低温ショーケースは、上記発明において、高温値は、設定値よりディファレンシャルの２倍以上高い温度であることを特徴とする。
【発明の効果】
【００１２】
本発明によれば、陳列室にて商品を冷却しながら陳列する低温ショーケースにおいて、陳列室内を照明する照明灯と、陳列室内の温度を検出する温度検出器と、該温度検出器の出力に基づき、照明灯の点灯を制御する制御装置とを備え、該制御装置は、陳列室内の温度が所定の高温値以上である場合、照明灯を消灯するので、陳列室内の温度が高温値以上であるときに、照明灯を消灯することで、当該照明灯周辺の部材が熱で損傷を受けてしまう不都合を未然に防止することができる。
【００１３】
そのため、照明灯周辺の部材を耐熱温度が比較的低いが複雑な形状を形成することができる材料により構成することができ、デザインの多様性を図ることが可能となる。
【００１４】
また、照明灯が消灯されていることで、使用者に陳列室内が冷えていないことを報知することが可能となる。
【００１５】
請求項２の発明によれば、上記発明において、制御装置は、陳列室内の設定値にて冷却を停止し、該設定値より所定のディファレンシャル分高い上限値にて冷却を再開するサイクル運転を実行すると共に、高温値は、上限値より高い値であり、且つ、設定値より所定温度高い温度であるので、陳列室内の設定値を基準として照明灯を消灯させる高温値を設定することができる。
【００１６】
従って、低温ショーケースの使用目的に応じて、的確に照明灯を消灯することが可能となる。
【００１７】
また、請求項３の発明によれば、上記発明において、高温値は、設定値よりディファレンシャルの２倍以上高い温度であるので、サイクル運転を実行する際に用いられる上限値より確実に高い値を照明灯を消灯させる温度として採用することが可能となる。
【００１８】
そのため、陳列室内の温度が正常に、設定値の所定のディファレンシャル範囲にて冷却制御されている際に、適切に照明灯を点灯させておくことが可能となる。
【発明を実施するための最良の形態】
【００１９】
以下、図面に基づき本発明の実施例を詳述する。図１は本発明を適用した低温ショーケースＲの正面図、図２は低温ショーケースＲの縦断側面図をそれぞれ示している。実施例の低温ショーケースＲは、例えばスーパーマーケットやコンビニエンスストアの店舗に設置される冷凍或いは冷蔵用の低温ショーケースであり、前面に開口する矩形状の断熱箱体２により本体が構成されている。この断熱箱体２は、前面に開口を有した鋼板製の外箱３と、前面に開口を有する内箱４と、これら内外両箱３、４間に発泡充填された断熱材５とから構成されている。
【００２０】
そして、断熱箱体２内には、前面に開口する陳列室６が形成され、当該陳列室６の前面開口は、内部を透視可能なガラス７を備えた詳細は後述する扉８により開閉自在に閉塞されている。扉８は一側端が断熱箱体２の側部に回動自在に枢支された開き扉とされている。また、陳列室６には食品等を載置するための複数段の棚１１・・が架設されている。尚、当該棚１１は、陳列室６内壁を構成する両側面の前部及び後部に位置して上下に渡って設けられ、所定間隔を存して複数の係合孔１０Ａが形成される棚支柱１０に着脱自在に架設される。
【００２１】
断熱箱体２の底面には、所定の高さを有する台脚アングル１２が取り付けられており、当該台脚アングル１２の両側面は、断熱箱体２の両側面と共に図示しない化粧パネルにて被覆されている。これにより、断熱箱体２の下方に機械室２１が形成される。また、断熱箱体２の底壁２Ａには、断熱材５を貫通するかたちで図示しない冷気吸込口及び冷気吐出口が前後に形成されている。
【００２２】
機械室２１の天井となる断熱箱体２の底壁２Ａ下面には、上面に開口を有する冷却箱２２が当接して設けられる。この冷却箱２２の内部には、冷却室２３が形成され、冷却装置を構成する蒸発器２４及び当該蒸発器２４の近傍には冷気循環用送風機２５が配設される。尚、この冷却箱２２の上面開口には、断熱箱体２側の冷気吸込口及び冷気吐出口に対応する冷気吸込口及び冷気吐出口が形成されている。
【００２３】
他方、断熱箱体２の背壁２Ｂの内方には、底壁２Ａに形成された冷気吐出口と陳列室６の上部とを連通するダクト３０を構成する仕切板３１が取り付けられている。この仕切板３１には、冷気循環用送風機２５から吐出された冷気を供給するための図示しない複数の開口が形成されている。これにより、陳列室６内に冷気の供給が効果的に行われる。
【００２４】
また、断熱箱体２の天壁６Ｃには、仕切板３１との間のダクト３０内に位置して温度検出器２６が設けられている。本実施例では、当該温度検出器２６は、所定の高温値以上で設定を開放するバイメタルスイッチにより構成されている。
【００２５】
ここで、バイメタルスイッチの接点を開放する高温値は、後述する如き陳列室６内の冷却設定値を＋３℃とし、圧縮機３３の運転を停止する上限値をディファレンシャル温度２℃を加えた＋５℃とした場合、当該冷却設定値にディファレンシャル温度の２倍以上（本実施例では３倍）の温度を加えた温度（設定値＋ディファレンシャル温度×２又は３）である＋９℃以上とする。そのため、温度検出器２６は、少なくとも＋９℃以上で接点を開放するバイメタルスイッチ、本実施例では、＋４０℃以上で接点を開放するバイメタルスイッチを採用する。
【００２６】
また、当該断熱箱体２内に構成される陳列室１１内には、当該陳列室１１内の温度を検出するための庫内温度センサ３６（図６のみ図示する）が設けられている。
【００２７】
一方、前記機械室２１内には、四隅にキャスター３２Ａが取り付けられた取付台３２が収容されており、当該取付台３２には、前記蒸発器２４と共に冷却装置を構成する圧縮機３３、凝縮器３４及び凝縮器用送風機３５と、図示しない電装箱などが配設されている。取付台３２上の圧縮機３３や凝縮器３４などは、冷却箱２２内の蒸発器２４と冷媒配管にて接続され、周知の冷媒回路を構成している。尚、当該凝縮器用送風機３５は、上記冷気循環用送風機２５のモータ２５Ｍと同一の回転軸に設けられており、当該モータ２５Ｍにより回転制御される。
【００２８】
次に、図３乃至図５を参照して、上記扉８の構成について詳述する。図３は低温ショーケースＲの上部分拡大縦断側面図、図４は陳列室６内方から前上方を見た斜視図、図５は扉８の部分横断平面図をそれぞれ示している。
【００２９】
本実施例における扉８の陳列室６側の面（内面８Ａ）には、扉８両側部に位置して透光性の合成樹脂製のシェード１５、１５が上下に渡って、当該扉８に設けられている。このシェード１５は、陳列室６側に突出して設けられており、内部に上下に渡って蛍光灯などの照明灯１４が設けられる照明灯収容室１７が形成されている。
【００３０】
このシェード１５の陳列室６側に臨む面（後面１５Ａ）には、上下に渡って所定の間隔を存して複数の透孔１６・・が形成されている。また、係るシェード１５の扉８中央側に臨む側面１５Ｂは、上下に渡って開口１８が形成されており、当該開口１８には、鋼板製の板状部材１９が上下方向から挿入されて取り付けられている。
【００３１】
この板状部材１９は、上下に渡って複数のスリット２０が形成されている。これにより、扉８によって陳列室６の前面開口が閉塞された状態で、シェード１５の照明灯収容室１７内に収容される照明灯１４を点灯することで、照明灯１４からの照射光が板状部材１９の各スリット２０から扉８中央に向けて照射されると共に、シェード１５を透過した照射光が陳列室６内に照射される。このとき、シェード１５の後面１５Ａには、上述したように複数の透孔１６が形成されているため、当該透孔１６から漏れる光によっても陳列室６内が照明される。
【００３２】
そして、この扉８の上部には、上部照明取付部２８が設けられており、この上部照明取付部２８の前面には、例えば乳白色の透光性のシェード２９が設けられている。このシェード２９の後方には、ショーケースＲ前方を照明する蛍光灯などの上部照明灯２７が設けられている。
【００３３】
次に、図６の制御装置Ｃの電気回路図を参照して、本実施例のショーケースＲの制御装置Ｃについて説明する。図６において、Ｒ、Ｓ、Ｔ三つの端子を備えた端子板３８のＲ端子及びＴ端子にはコンセント３９が接続されている。また、端子板３８のＲ端子とＴ端子には、前記冷気循環用送風機２５及び凝縮器用送風機３５のモータ２５Ｍと、汎用のマイクロコンピュータにより構成されるコントローラ４０が接続されている。
【００３４】
圧縮機３３の圧縮機モータ３３Ｍは始動回路（始動リレー、始動コンデンサなどから成る）４３を介して端子板３８のＲ端子及びＳ端子間に接続されている。また、端子板３８のＴ端子が接続されたコントローラ４０と、Ｓ端子間には、圧縮機３３の過熱防止用のバイメタルスイッチ４４が接続されている。そして、このコントローラ４０には、陳列室６内の温度を検出する上記庫内温度センサ３６と、図示しない設定入力手段としてのコントロールパネルが接続されている。
【００３５】
扉８の上部照明取付部２８に設けられる照明灯２７（本実施例では８Ｗ）は、安定器４１と共に、端子板３８のＲ端子及びＴ端子に、直接接続されている。そのため、コンセント３９が接続されると、扉８上部の照明灯２７は、常時点灯される。
【００３６】
扉８の陳列室６側の両側部に設けられる照明灯１４、１４（本実施例ではいずれも２８Ｗ）は、安定器４２と共に、上記温度検出器２６を介して端子板３８のＲ端子及びＴ端子に接続されている。
【００３７】
以上の構成で次に動作について説明する。コンセント３９が交流電源に接続されて、低温ショーケースＲに給電されると、コントローラ４０は、前記コントロールパネルにて設定された冷却設定値と、庫内温度センサ３６から入力される現在の陳列室６内の温度に基づき、圧縮機モータ３３Ｍの運転制御を行う。送風機モータ２５Ｍは、コンセント３９に接続されている間は、連続運転とされる。
【００３８】
本実施例では、コントロールパネルにて設定された冷却設定値よりもディファレンシャル温度高い温度を上限値とし、例えば冷却設定値を＋３℃とした場合、コントローラ４０は、庫内温度センサ３６による検出温度が上限値（ディファレンシャル温度を２℃とした場合は、＋５℃）に達すると、圧縮機モータ３３Ｍを起動する。
【００３９】
これにより、圧縮機３３、冷気循環用送風機２５、凝縮器用送風機３５が運転されると、冷却室２３内に配設された蒸発器２４は冷却作用を発揮して、冷却室２３内の空気を冷却する。ここで、冷気循環用送風機２５が運転されていることから、蒸発器２４にて冷却された冷気は、冷却室２３に形成された前記冷気吐出口を介して陳列室６内に吐出される。
【００４０】
陳列室６内に吐出された冷気は、ダクト３０内を上昇し、陳列室６前上部に形成された冷気吐出口から陳列室６内に吐出される。陳列室６内を循環した冷気は、陳列室６前下部に形成された冷気吸込口を介して冷却室２３内に帰還する。冷却室２３に帰還した冷気は、蒸発器２４により再び冷却された後、再度冷気吐出口を介して陳列室６内に吐出され、当該陳列室６内を循環することにより、陳列室６全体を冷却する。
【００４１】
そして、徐々に陳列室６内の温度が低下していき、庫内温度センサ３６が検出する温度が前記冷却設定値に達すると、コントローラ４０は、圧縮機モータ３３Ｍへの通電を停止し、圧縮機３３を停止する。
【００４２】
以後、当該冷却装置の運転停止により、陳列室６内の温度が徐々に上昇していき、再度庫内温度センサ３６が検出する温度が前記上限値に達すると、コントローラ４０は、圧縮機モータ３３Ｍへの通電を再開するＯＮ−ＯＦＦサイクル運転を実行する。
【００４３】
一方、低温ショーケースＲの上部照明取付部２８に設けられる照明灯２７は、コンセント３９が交流電源に接続されると、常時通電され、点灯する。扉８の陳列室６側の両側部に設けられた照明灯１４、１４は、コンセント３９が交流電源に接続されることにより、同様に点灯される。
【００４４】
ここで、陳列室６内の温度が何らかの影響、例えば、プルダウン時や機器の故障を原因とする冷却不良時、若しくは、外気温の影響による冷却不良時、更には、大量の商品の補充作業などによって、所定の高温値となると、扉８の陳列室６側に設けられて当該陳列室６内に位置する照明灯１４、１４を消灯する。
【００４５】
本実施例では、端子板３８と各照明灯１４との間に介設される温度検出器２６は、陳列室６内の冷却設定値よりも所定温度だけ高い＋４０℃にて接点を開放するバイメタルスイッチにより構成されているため、陳列室６内の温度が当該＋４０℃以上となると、係るバイメタルスイッチの接点が開放され、各照明灯１４、１４への通電が停止され、消灯される。
【００４６】
これにより、陳列室６内の温度が所定の高温値以上であるときに、陳列室６内に位置する照明灯１４、１４を消灯することで、当該照明灯１４周辺の部材、例えば樹脂製のシェード１５が熱で損傷を受けてしまう不都合を未然に防止することができる。
【００４７】
そのため、照明灯１４周辺のシェード１５等の部材を耐熱温度が比較的低いが複雑な形状を形成することができる樹脂などの材料により構成しても、照明灯１４周辺の温度が当該シェード１５の許容温度範囲を逸脱して変形等する不都合を未然に回避することができる。これにより、耐熱温度が比較的低い材料によっても照明灯１４付近の部材を形成することが可能となるため、デザインの多様性を図ることが可能となる。
【００４８】
また、庫内側の照明灯１４の消灯によって、陳列室６内が所定の設定値付近にまで冷却されていないことを容易に報知することが可能となる。
【００４９】
特に、庫内温度によって照明灯１４、１４への通電を遮断する温度検出器２６は、上述したように、冷却設定値にディファレンシャル温度の２倍以上（本実施例では３倍）の温度を加えた高温値（設定値＋ディファレンシャル温度×２又は３）以上で接点を開放するバイメタルスイッチにより構成している。
【００５０】
そのため、圧縮機３３のＯＮ−ＯＦＦを制御する上限値より高い値であり、且つ、冷却設定値より所定温度高い温度である高温値以上で、照明灯１４、１４を消灯する温度検出器（バイメタルスイッチ）を選択することで、陳列室６内の冷却設定値を基準として照明灯１４を消灯させる高温値を設定することができる。
【００５１】
従って、低温ショーケースの使用目的に応じて、的確に照明灯１４を消灯することが可能となる。
【００５２】
特に、上述したように、高温値は、冷却設定値よりディファレンシャルの２倍以上高い温度となるように温度検出器２６を選択することで、圧縮機３３のＯＮ−ＯＦＦサイクル運転を実行する際に用いられる上限値より確実に高い値を照明灯１４を消灯させる温度として採用することが可能となる。
【００５３】
そのため、陳列室６内の温度が正常に、冷却設定値の所定のディファレンシャル範囲にて冷却制御されている際に、適切に照明灯１４を点灯させておくことが可能となる。
【００５４】
尚、本実施例では、構造の簡素化を実現するため、各照明灯１４は、所定の高温値以上で接点を開放する温度検出器２６により通電制御を行っているが、これに限定されるものではなく、各照明灯１４をコントローラ４０に接続し、庫内温度センサ３６によって検出される温度が上記高温値に到達した場合に、照明灯１４を消灯する構成としてもよい。
【図面の簡単な説明】
【００５５】
【図１】本発明を適用した低温ショーケースの正面図である。
【図２】低温ショーケースの縦断側面図である。
【図３】低温ショーケースの上部分拡大縦断側面図である。
【図４】陳列室内方から前上方を見た斜視図である。
【図５】扉の部分横断平面図である。
【図６】制御装置の電気回路図である。
【符号の説明】
【００５６】
Ｒ    低温ショーケース
Ｃ    制御装置
２    断熱箱体
６    陳列室
８    扉
８Ａ  内面
１４  照明灯
１５、２９  シェード
１５Ａ  後面
１６  透孔
１７  照明灯収容室
１８  開口
１９  板状部材
２０  スリット
２１  機械室
２４  蒸発器
２５  冷気循環用送風機
２６  温度検出器（バイメタルスイッチ）
２７  上部照明灯
２８  上部照明取付部
３０  ダクト
３３  圧縮機
３３Ｍ  圧縮機モータ
３４  凝縮器
３５  凝縮器用送風機
３６  庫内温度センサ
３８  端子板
３９  コンセント
４０  コントローラ
４２、４２  安定器
【図１】
2009243743.tif 000003
【図２】
2009243743.tif 000004
【図３】
2009243743.tif 000005
【図４】
2009243743.tif 000006
【図５】
2009243743.tif 000007
【図６】
2009243743.tif 000008